(57)【要約】【課題】アルミニウム切粉を可及的に急速に溶解可能とする。【解決手段】上方が開放し、横断面が多角形状の、容器状の渦室と、この渦室内のアルミニウム溶湯を電磁力で排出させるアルミニウム溶湯搬送装置と、を備え、前記渦室は、ある側壁の上部近傍に形成された、アルミニウム溶湯の流入を許容する溶湯流入口を備え、前記アルミニウム溶湯搬送装置は、筒状の搬送路と、前記搬送路における向かい合う側壁の内面に、アルミニウム溶湯と接した状態で対向するように、露呈状態に設けられた少なくとも一対の電極と、前記搬送路の外側の、前記一対の電極の間に、前記搬送路内のアルミニウム溶湯に磁力線を透過させる、永久磁石と、を備え、筒状の前記搬送路の内端側を前記渦室のある側壁を貫通させて、この搬送路の内端を、前記渦室の底壁の中央部近傍において開口させて、溶湯排出口とした、ことを特徴とするアルミニウム急速溶解炉として構成される。【選択図】図３
2010005647.tif 000002
【特許請求の範囲】
【請求項１】
上方が開放し、横断面が多角形状の、容器状の渦室と、
この渦室内のアルミニウム溶湯を電磁力で排出させるアルミニウム溶湯搬送装置と、
を備え、
前記渦室は、ある側壁の上部近傍に形成された、アルミニウム溶湯の流入を許容する溶湯流入口を備え、
前記アルミニウム溶湯搬送装置は、
筒状の搬送路と、
前記搬送路における向かい合う側壁の内面に、アルミニウム溶湯と接した状態で対向するように、露呈状態に設けられた少なくとも一対の電極と、
前記搬送路の外側の、前記一対の電極の間に、前記搬送路内のアルミニウム溶湯に磁力線を透過させる、永久磁石と、
を備え、
筒状の前記搬送路の内端側を前記渦室のある側壁を貫通させて、この搬送路の内端を、前記渦室の底壁の中央部近傍において開口させて、溶湯排出口とした、
ことを特徴とするアルミニウム急速溶解炉。
【請求項２】
上方が開放し、横断面が多角形状の、容器状の渦室と、
この渦室内のアルミニウム溶湯を電磁力で排出させるアルミニウム溶湯搬送装置と、
を備え、
前記渦室は、ある側壁の上部近傍に形成された、アルミニウム溶湯の流入を許容する溶湯流入口を備え、
前記アルミニウム溶湯搬送装置は、
筒状の搬送路と、
前記搬送路における向かい合う側壁の内面に、アルミニウム溶湯と接した状態で対向するように、露呈状態に設けられた少なくとも一対の電極と、
前記搬送路の外側の、前記一対の電極の間に、前記搬送路内のアルミニウム溶湯に磁力線を透過させる、永久磁石と、
を備え、
筒状の前記搬送路の内端を、前記渦室の底壁の中央部近傍における開口に連通させた、
ことを特徴とするアルミニウム急速溶解炉。
【請求項３】
アルミニウム溶湯を収納可能な大型溶解炉と、請求項１又は２に記載のアルミニウム急速溶解炉と、を備え、
前記大型溶解炉の外部に前記アルミニウム急速溶解炉を設け、
前記アルミニウム急速溶解炉における前記溶湯流入口と、前記大型溶解炉の側壁に形成した流出口と、を連通させ、
前記アルミニウム急速溶解炉における前記搬送路を前記大型溶解炉の側壁に形成した流入口と、を連通させた、
ことを特徴とするアルミニウム急速溶解炉システム。
【請求項４】
アルミニウム溶湯を収納可能な大型溶解炉と、請求項１又は２に記載のアルミニウム急速溶解炉と、を備え、
前記大型溶解炉の内部に、前記アルミニウム急速溶解炉を、前記磁石を除いて、設け、且つ、前記磁石を前記大型溶解炉の外部に設けた、
ことを特徴とするアルミニウム急速溶解炉システム。
【発明の詳細な説明】
【技術分野】
【０００１】
アルミニウム切粉を溶解する角型アルミニウム急速溶解炉及びアルミニウム溶解炉付溶解炉システムに関する。
【背景技術】
【０００２】
近年、産業界、特に、自動車業界、建材業界、電機業界等では、製品の軽量化とリサイクル化を計るため、素材としてアルミニウムの使用量が大幅に増大している。一般にアルミニウム材料の発生形態としては、特に、市中から回収されるアルミニウムスクラップと工場の生産工程から発生する機械加工屑（アルミニウム切粉）に大きく分けられる。
【０００３】
アルミニウムスクラップの場合は形状が雑多で嵩張る大きなものが多いため、多くは直接大型炉に投入して溶解される。
【０００４】
アルミニウム切粉は小さく嵩張らず大きさも一定しているが、見かけの比重が小さいため、直接大型炉に投入しても、炉中のアルミニウム溶湯の表面に浮かんでしまい効率よく溶解できない。このため人為的にフォークリフトでアルミニウム切粉を溶湯中に沈み込ませ、アルミニウム切粉をアルミニウム溶湯と十分に接触させながら溶解している。
【０００５】
アルミニウム切粉を直接アルミニウム溶湯に接触させるため、今までは次のようにしていた。即ち、機械式ポンプでアルミニウム溶湯を攪拌し、その中にアルミニウム切粉を投入する方式や、円形渦室を設けその周りに電磁式攪拌装置を設置し強制的に渦を発生させ、その渦中にアルミニウム切粉を投入する渦室方式も採用されていた。
【０００６】
しかしながら、いずれにしても、このような作業は、高温環境下での作業であり、労働条件的にきつい作業となるのは避けられない。また、炉に投入したアルミニウム切粉に水滴等付着していると爆発を起こす。このため、このような作業は大変危険で、同じく労働条件的に大きな問題も抱えているのは否めない。
【発明の開示】
【発明が解決しようとする課題】
【０００７】
上述のような、機械式ポンプを用いる方式では、機械的ポンプが直接アルミニウム溶湯に接触するため損傷が激しく、ランニングコストが大きいという問題があった。
【０００８】
また、電磁式攪拌装置を用いる渦室方式は、大きな電力を消費すること、メンテナンスが大変なこと、溶解に必要な十分なアルミニウム溶湯量が得られないこと等の問題があった。
【０００９】
本発明は、このような点に鑑みてなされたもので、その目的は、上記の問題を改善すべく、アルミニウム切粉を可及的に急速に溶解可能とすることにある。
【課題を解決するための手段】
【００１０】
本発明は、
上方が開放し、横断面が多角形状の、容器状の渦室と、
この渦室内のアルミニウム溶湯を電磁力で排出させるアルミニウム溶湯搬送装置と、
を備え、
前記渦室は、ある側壁の上部近傍に形成された、アルミニウム溶湯の流入を許容する溶湯流入口を備え、
前記アルミニウム溶湯搬送装置は、
筒状の搬送路と、
前記搬送路における向かい合う側壁の内面に、アルミニウム溶湯と接した状態で対向するように、露呈状態に設けられた少なくとも一対の電極と、
前記搬送路の外側の、前記一対の電極の間に、前記搬送路内のアルミニウム溶湯に磁力線を透過させる、永久磁石と、
を備え、
筒状の前記搬送路の内端側を前記渦室のある側壁を貫通させて、この搬送路の内端を、前記渦室の底壁の中央部近傍において開口させて、溶湯排出口とした、
ことを特徴とするアルミニウム急速溶解炉
として構成される。
【００１１】
さらに、本発明は、
上方が開放し、横断面が多角形状の、容器状の渦室と、
この渦室内のアルミニウム溶湯を電磁力で排出させるアルミニウム溶湯搬送装置と、
を備え、
前記渦室は、ある側壁の上部近傍に形成された、アルミニウム溶湯の流入を許容する溶湯流入口を備え、
前記アルミニウム溶湯搬送装置は、
筒状の搬送路と、
前記搬送路における向かい合う側壁の内面に、アルミニウム溶湯と接した状態で対向するように、露呈状態に設けられた少なくとも一対の電極と、
前記搬送路の外側の、前記一対の電極の間に、前記搬送路内のアルミニウム溶湯に磁力線を透過させる、永久磁石と、
を備え、
筒状の前記搬送路の内端を、前記渦室の底壁の中央部近傍における開口に連通させた、
ことを特徴とするアルミニウム急速溶解炉
として構成される。
【発明の効果】
【００１２】
本発明によれば、アルミニウム切粉を可及的に急速に溶解可能とすることができる。
【実施形態】
【００１３】
以下の説明では、溶解対象として、アルミニウムを挙げているが、アルミニウムに限らず、比重が比較的小さく、例えば切粉状のものを投入した時に、軽く、浮きがちの材料を溶解対象とする溶解炉に、本発明の技術的な思想を適用できるのは当然である。
【００１４】
本発明の実施形態は、効率よく、可及的急速に、アルミニウムを溶解することを念頭に置き、このために、角型の渦室を用い、その角型の渦室に、アルミニウム溶湯搬送装置を組み込んだものとして構成される。組み込むアルミニウム溶湯搬送装置としては、例えば、本発明者が先に発明し、出願した溶湯搬送装置（特開２００７−０２１５３９号公報）を用いることができる。
【００１５】
この実施形態の原理、即ち、基本的な技術思想は以下のように説明される。
【００１６】
アルミニウムを効率よく溶解するためには、十分に熱量を供給しなければならない。このためには、十分な量のアルミニウム溶湯が循環するようにすればよい。本実施形態ではまずこのことが達成されるように構成した。
【００１７】
本実施形態では、この上で、さらに、十分な熱量を持ったアルミニウム溶湯とアルミニウム切粉が効率よく接触するようにしている。即ち、一般の技術者は、渦室として、アルミニウム溶湯が抵抗なく、効率よく回転するように、円形状のものを採用する。しかしながら、この円形の渦室の場合、アルミニウム溶湯の渦の形状は幾何学的にみてきれいな安定した渦となる。本発明者は、このような安定したアルミニウム溶湯の渦の上にアルミニウム切粉を投入する実験を行った。しかし、この実験から、渦の上にアルミニウム切粉が乗った状態で回転するのみとなり、うまく溶解できないことがわかった。これはアルミニウム溶湯とアルミニウム切粉の接触面積が小さく、アルミニウム切粉に効率よく熱が伝わらないためと考えられる。このため、本発明者は、上記の実験を通して、溶解速度を上げるには、アルミニウム溶湯とアルミニウム切粉の接触面積を積極的に増大することが重要であると認識するに至った。アルミニウム溶湯とアルミニウム切粉の接触面積を積極的に増大するには、渦として、上記のような安定した渦ではないのが望ましい。このため本発明者は、渦室として技術者は通常は用いない形状である角型の渦室を採用するに至った。つまり、本発明において、渦室を角形のものとしたのは、上記の実験を実際に行った本発明者のみが行い得たことであり、上記の実験をしていない他の技術者には到底なしえなかった技術的な思想である。
【００１８】
而して、本発明は、
上方が開放し、横断面が多角形状の、容器状の渦室と、
この渦室内のアルミニウム溶湯を電磁力で排出させるアルミニウム溶湯搬送装置と、
を備え、
前記渦室は、ある側壁の上部近傍に形成された、アルミニウム溶湯の流入を許容する溶湯流入口を備え、
前記アルミニウム溶湯搬送装置は、
筒状の搬送路と、
前記搬送路における向かい合う側壁の内面に、アルミニウム溶湯と接した状態で対向するように、露呈状態に設けられた少なくとも一対の電極と、
前記搬送路の外側の、前記一対の電極の間に、前記搬送路内のアルミニウム溶湯に磁力線を透過させる、永久磁石と、
を備え、
筒状の前記搬送路の内端側を前記渦室のある側壁を貫通させて、この搬送路の内端を、前記渦室の底壁の中央部近傍において開口させて、溶湯排出口とした、
ことを特徴とするアルミニウム急速溶解炉
として構成される。
【００１９】
さらに、本発明は、
上方が開放し、横断面が多角形状の、容器状の渦室と、
この渦室内のアルミニウム溶湯を電磁力で排出させるアルミニウム溶湯搬送装置と、
を備え、
前記渦室は、ある側壁の上部近傍に形成された、アルミニウム溶湯の流入を許容する溶湯流入口を備え、
前記アルミニウム溶湯搬送装置は、
筒状の搬送路と、
前記搬送路における向かい合う側壁の内面に、アルミニウム溶湯と接した状態で対向するように、露呈状態に設けられた少なくとも一対の電極と、
前記搬送路の外側の、前記一対の電極の間に、前記搬送路内のアルミニウム溶湯に磁力線を透過させる、永久磁石と、
を備え、
筒状の前記搬送路の内端を、前記渦室の底壁の中央部近傍における開口に連通させた、
ことを特徴とするアルミニウム急速溶解炉
として構成される。
【００２０】
以下に、本発明の実施形態を図面を参照しながら説明する。
【００２１】
図１及び図２は、本発明の第１の実施形態としてのアルミニウム急速溶解炉２０の平面図及び側面図である。
【００２２】
このアルミニウム急速溶解炉２０は、予め溶かした原アルミニウム溶湯を流入させ、流出させるものであり、流入する原アルミニウム溶湯内にアルミニウム切粉を投入し、アルミニウム切粉を原アルミニウム溶湯の熱で溶かし、その原アルミニウム溶湯内に溶け込ませ、前記原アルミニウム溶湯と共に側壁の下側部分から排出するようにしたものである。
【００２３】
この実施形態は、図１および図２からわかるように、互いに固定された、外形がほぼ角型容器状の渦室１と、アルミニウム溶湯搬送装置１０と、を備える。
【００２４】
渦室１は、耐火物で構成され、上方が開放したいわゆる容器状のものとされている。この角型の渦室１の内部の四隅２、２、・・・は、滑らかな曲面を有するように、半径Ｒをもった曲面で加工が施工されている。
【００２５】
この角型の渦室１の４つの側壁３Ａ、３Ｂ、３Ｃ、４Ｄのうちの１つの側壁３Ａの上部に、予め溶かした状態のアルミニウムの溶湯を流入させる溶湯流入口４が設けられている。
【００２６】
この角型の渦室１の別の側壁３Ｂの下部に、アルミニウム溶湯搬送装置１０を挿入状態に固定するための開口５が形成されている。
【００２７】
なお、この実施形態では、溶湯流入口４と開口５とを別の側壁に設けたが、これらを同じ側壁に設けることもできる。例えば、溶湯流入口４を側壁３Ｂに設けることもできる。このように、溶湯流入口４を側壁３Ｂに設けた、第１実施形態の変形例は、後述のように、図６−図８の第３の実施形態で用いている。
【００２８】
前記角型の渦室１における前記開口５に、別体のアルミニウム溶湯搬送装置１０が取り付けられている。このアルミニウム溶湯搬送装置１０は、角型の渦室１内のアルミニウム溶湯を電磁力により積極的に外部へ搬送するためのものである。
【００２９】
このアルミニウム溶湯搬送装置１０について以下に説明する。
【００３０】
１１は筒状の搬送路である。この搬送路１１は前記渦室１からのアルミニウム溶湯を導くものである。この搬送路１１が、前記渦室１の開口５に挿入された状態で固定されている。これにより、この搬送路１１の内側端が、このアルミニウム急速溶解炉２０における溶湯排出口１５となる。なお、この搬送路１１としてチャネル状（樋状）のものを用いることができる。この場合には、側壁３Ｂの下部の開口５が、溶湯排出口となる。
【００３１】
この搬送路１１における対向する一対の対向側壁１１Ａ、１１Ａに、図示せぬ外部電源からの電源が加えられる電極１２、１２がそれぞれ設けられている。搬送路１１にアルミニウム溶湯が満ちた状態においては、このアルミニウム溶湯を介して電極１２、１２間に電流が流れることになる。この搬送路１１の下方に磁場装置（永久磁石）１３が設けられている。この磁場装置（永久磁石）１３からの磁力線が搬送路１１中のアルミニウム溶湯を上下方向に貫く。
【００３２】
このような構成により、渦室１内のアルミニウム溶湯は搬送路１１によって渦室１から外部に引き出されるように搬送される。即ち、前述のように、磁場装置（永久磁石）１３からの磁力線が搬送路１１中のアルミニウム溶湯を上下方向に貫く。この状態で、一対の対向側壁１１Ａ、１１Ａの電極１２、１２間をアルミニウム溶湯を介して電流が流れる。これにより、搬送路１１中のアルミニウム溶湯は、電磁力により渦室１から外部に引き出され、渦室１から外部に搬送される。つまり、このアルミニウム溶湯搬送装置１０により渦室１内のアルミニウム溶湯を積極的に外部に搬送することができる。
【００３３】
このアルミニウム溶湯搬送装置１０としては、前述のように、例えば、本発明者が先に発明した、特開２００７−０２１５３９号公報に記載のものを用いることができる。
【００３４】
次に、渦室１自体における、投入されたアルミニウム切粉が渦室１内のアルミニウム溶湯に溶け込んでいく様子について説明する。
【００３５】
図３は、溶湯流入口４から流入するアルミニウム溶湯が渦室１内で形成する渦の状態を示している。
【００３６】
流入口４から流入する原アルミニウム溶湯は、図３に示す如く、渦室１の内壁に平行に流入するため、多くは内壁に沿って流れることになるが、排出口１５は渦室１の中央に位置しているため、角型の渦室１内ではいわゆる巻き込み渦が形成される。この段階でアルミニウム切粉等見かけ比重の小さなアルミニウム屑（アルミニウム切粉）を投入すれば、効率よく溶解できるのである。
【００３７】
すなわち、溶湯流入口４から原アルミニウム溶湯が流入すると、この原アルミニウム溶湯は正面にある側壁３Ｃに衝突し、盛り上がり、崩れる波のように流れ落ちる流れｆ２となる。これと同様な挙動により、この流れｆ２は、側壁３Ｂに衝突し、盛り上がり、流れ落ちる流れｆ３となる。流れｆ３は側壁３Ｂに衝突し、盛り上がり、流れ落ちる流れｆ３となる。流れｆ３は、側壁３Ａに衝突し、盛り上がり、流れ落ちる流れｆ４となる。流れｆ４は側壁３Ｄに衝突し、盛り上がり、流れ落ちる流れｆ１となる。
【００３８】
これと同時に、流れｆ１の先端側は流れｆ２の下に潜り込むような流れとなる。これと同様の挙動により、流れｆ２の先端側は流れｆ３の下に潜り込むような流れとなる。流れｆ３の先端側は流れｆ４の下に潜り込むような流れとなる。流れｆ４の先端側は流れｆ１の下に潜り込むような流れとなる。
【００３９】
このような流れｆ１−ｆ４の渦巻き回転をなすアルミニウム溶湯に、渦室１の上方からアルミニウム切粉を投入すると、アルミニウム切粉は渦巻き回転動作中のアルミニウム溶湯中にかき混ぜられるように溶け込み、効率よく溶解する。
【００４０】
つまり、上述の構成の角型の渦室１内にアルミニウム切粉を投入することにより、回転するアルミニウム切粉の上に高温の原アルミニウム溶湯が被いかぶさることとなり、連続的に効率よくアルミニウム切粉の溶解を行うことができる。
【００４１】
また、流入する原アルミニウム溶湯は、図３からも分かるように、渦室１の内壁に平行に流入するため、多くは内壁に沿って流れることになるが、溶湯排出口１５は渦室中央に位置しているため、角型の渦室内では上述のような巻き込み渦が形成される。この段階でアルミニウム切粉等見かけ比重の小さなアルミニウム屑を投入すれば、効率よく溶解される。
【００４２】
以上の説明では、渦室１として、横断面が正４角形の角型のものを説明したが、この形状に限るものではなく、長方形状であっても良く、さらには、４角形以外の多角形、例えば、３角形、５角形等とすることもできる。
【００４３】
図４、図５は、第２の実施形態を示す。この第２の実施形態が、図１、図２の実施形態と異なる点は、溶湯排出口１５を渦室１の底壁３Ｅの中央に直接設けるようにしたとこ口にある。その他の構成、つまり、その他の各部品の配置は図１および図２と同じである。よって、同等の部材に同一の符号を付して詳しい説明は省略する。
【００４４】
次に、第３の実施形態（図６―図８）及び第４の実施形態（図９）として、実炉に、上述の角型アルミニウム急速溶解炉２０を装備した例を説明する。
【００４５】
図６−図８は大型溶解炉（溶解炉、保持炉）３０外に上述の第１の実施形態の変形例の角型アルミニウム急速溶解炉２０を付設した場合を示す。図９は大型溶解炉３０内に上述の第１の実施形態の角型アルミニウム急速溶解炉２０を組み込んだ場合を示す。
【００４６】
図６―図８の第３の実施形態の実炉において、大型溶解炉３０の１つの側壁３０Ａに、前記アルミニウム急速溶解炉２０が付設状態に設けられている。より具体的には、アルミニウム急速溶解炉２０のうちの渦室１が大型溶解炉３０に隣接状態に設けられ、アルミニウム溶湯搬送装置１０は大型溶解炉３０と渦室１との間における外部位置に設けられている。
【００４７】
そして、この実施形態の実炉は、特に図７から分かるように、大型溶解炉３０内のアルミニウム溶湯が大型溶解炉３０の上側の流出口３０Ａ１から流出してアルミニウム急速溶解炉２０内に流入し、アルミニウム急速溶解炉２０内で渦を描いて回転しながら下降し、アルミニウム急速溶解炉２０の下側から流出して、流入口３０Ａ２から大型溶解炉３０へ再び流入する、環流を行うように構成されている。
【００４８】
より詳しくは、大型溶解炉３０はバーナー３２、３２を備え、内部のアルミニウム溶湯を加熱、昇温し、品質を保持している。この大型溶解炉３０の側壁３０Ａには、アルミニウム溶湯が、アルミニウム急速溶解炉２０へ流出する流出口３０Ａ１と、アルミニウム急速溶解炉２０から流入する流入口３０Ａ２が形成されている。流出口３０Ａ１は、アルミニウム急速溶解炉２０の溶湯流入口４と連通しており、流入口３０Ａ２は開口５と連通している。つまり、アルミニウム溶湯搬送装置１０の搬送路１１が流入口３０Ａ２から大型溶解炉３０内に入り込んでいる。
【００４９】
これにより、大型溶解炉３０から原アルミニウム溶湯が渦室１へ流入し、アルミニウム切粉を溶かし込んで再び大型溶解炉３０内に環流する。
【００５０】
この動きを簡単に解析する。アルミニウム溶湯搬送装置１０が停止している場合は、大型溶解炉３０内の原アルミニウム溶湯のレベルＨと、渦室１内の溶湯レベルＨ´は等しい。今アルミニウム溶湯搬送装置１０が運転を始めると、渦室１内の溶湯が排出されＨ１＞Ｈ２となる。これに伴い、大型溶解炉３０から角型の渦室１内に元アルミニウム溶湯が流れ込む。このときの流速は  ２ｇ（Ｈ１−Ｈ２）である。このため、Ｈ１−Ｈ２の位置水頭（位置エネルギー）でアルミニウム溶湯が回転し、且つアルミニウム溶湯は大型溶解炉３０と渦室１との間で循環する。そのときの大型溶解炉３０から渦室１への流入速度は  ２ｇ（Ｈ１−Ｈ２）となる。前に説明したように、この状態の時に、角型の渦室１内にアルミニウム切粉を連続的に投入すれば効率よく溶解が行われる。
【００５１】
図８は、第４の実施形態としての実炉を示す。この実施形態においては、大型溶解炉３０内に第１実施形態のアルミニウム急速溶解炉２０を設けた例を示している。つまり、アルミニウム急速溶解炉２０のうちの渦室１を大型溶解炉３０内に設け、アルミニウム溶湯搬送装置１０を、図７と同様に、大型溶解炉３０の底壁外部に設けている。その他の構成は図６の実施形態と同様であるので、同一部材に同一符号を付して説明を省略する。
【００５２】
このように、本発明の各実施形態によれば、作業環境改善、メンテナンスフリー、消費電力およびランニングコストの抑制、さらに既設炉に容易に設置可能な、角型アルミニウム急速溶解炉を提供することができる。
【００５３】
本発明の実施形態の効果
本発明者は本発明の実施形態による効果を確認すべく実験を行った。その結果を以下に示す。実験は、比較のために、従来型円形渦室を用いた場合と本発明の角型の渦室を用いた場含とで行い、これによってアルミニウム切粉の溶解速度の比較を行った。
【００５４】
尚、円形渦室の寸法は内径２８０ｍｍ×深さ２５０ｍｍ、角型の渦室の寸法は一辺２５０ｍｍ×深さ２５０ｍｍとした。
【００５５】
原料：アルミニウム切粉１０kg
溶解時間（秒）
円形渦室 角型渦室
テスト１              ５５        ４２
テスト２              ６１        ３５
テスト３              ５３        ３０
平均                  56.3        35.5
溶解速度（kg／時間）   640         1008
【００５６】
但し、実験中のアルミニウム溶湯温度は、実験開始時７６０℃、実験終了時７３５℃であった。
【００５７】
この実験結果から、本発明の実施形態の角型の渦室によれば、従来型の円形渦室に比べて、１００８／６４０＝１．５６倍の溶解速度を得ることができたことがわかる。もち口ん溶解には十分な熱量が供給されることが必要条件であるが、そのために、例えば、本発明の発明にかかる特開２００７−０２１５３９号公報に記載のアルミニウム溶湯搬送装置を使用して、強力にアルミニウム溶湯を循環させることが不可欠である。
【図面の簡単な説明】
【００５８】
【図１】アルミニウム溶湯を側壁の下方から排出させるようにした角型のアルミニウム急速溶解炉の平面図。
【図２】アルミニウム溶湯を側壁の下方から排出させるようにした角型のアルミニウム急速溶解炉の正面図。
【図３】渦室におけるアルミニウム溶湯の回転挙動を示す説明図。
【図４】アルミニウム溶湯を底壁中央から排出させるようにした角型アルミニウム急速溶解炉平面図。
【図５】アルミニウム溶湯を底壁中央から排出させるようにした角型アルミニウム急速溶解炉正面図。
【図６】大型溶解炉外にアルミニウム急速溶解炉を組み込んだ溶解炉システムの平面図。
【図７】大型溶解炉外にアルミニウム急速溶解炉を組み込んだ溶解炉システムの部分縦断面図。
【図８】大型溶解炉内にアルミニウム急速溶解炉を組み込んだ溶解炉システムの平面図。
【符号の説明】
【００５９】
１  渦室
４  溶湯流入口
１０  アルミニウム溶湯搬送装置
１１  搬送路
１２  電極
１３  磁場装置（永久磁石）
１５  溶湯排出口
２０  アルミニウム急速溶解炉
３０  大型溶解炉
【図１】
2010005647.tif 000003
【図２】
2010005647.tif 000004
【図３】
2010005647.tif 000005
【図４】
2010005647.tif 000006
【図５】
2010005647.tif 000007
【図６】
2010005647.tif 000008
【図７】
2010005647.tif 000009
【図８】
2010005647.tif 000010